(57)【要約】発熱ソール（１０）を含むアイロン（１）と、コード（３）によってアイロン（１）とつながれたベース（２）とを備えるアイロン掛け家電装置であって、ベース（２）はアイロン（１）を休止位置に置くための置き場（２４）を有しており、その位置でアイロン（１）のソール（１０）は置き場（２４）に載置され、アイロン（１）はソール（１０）に対して片持ちで配置された把持ハンドル（１２）を備え、ハンドル（１２）がソール（１０）の上に載る本体（１１）とつながる前端部と自由な後端部とを備える家電装置において、ハンドル（１２）は、休止位置にあるとき、ベース（２）によって支持されるようにした支点部位（１２Ａ）を備えること、および、アイロン（１）をハンドル（１２）で握持するために手のすべての指を通すことができるだけの空間が支点部位と本体（１１）の間のハンドル（１２）の裏側に生まれるような形状をベース（２）が有することを特徴とする家電装置。
2018514343.tif 000002
【特許請求の範囲】
【請求項１】
発熱ソール（１０）とベース（２）とを備え、コード（３）によってつながれたアイロン（１）を含む、アイロン掛け家電装置であって、前記ベース（２）は前記アイロン（１）を休止位置に置くための置き場（２４）を有しており、その位置で前記アイロン（１）の前記ソール（１０）は前記置き場（２４）に載置され、前記アイロン（１）は前記ソール（１０）に対して片持ちで配置された把持ハンドル（１２）を備え、前記ハンドル（１２）が前記ソール（１０）の上に載る本体（１１）とつながる前端部と自由な後端部とを備える家電装置において、前記ハンドル（１２）は、休止位置にあるとき、前記ベース（２）によって支持されるようにした支点部位（１２Ａ）を備えること、および、前記アイロン（１）を前記ハンドル（１２）で握持するために手のすべての指を通すことができるだけの空間が前記支点部位（１２Ａ）と前記本体（１１）の間の前記ハンドル（１２）の裏側に生まれるような形状を前記ベース（２）が有することを特徴とする家電装置。
【請求項２】
前記支点部位（１２Ａ）が前記ハンドル（１２）の前記後端部に配置されることを特徴とする請求項１に記載の家電装置。
【請求項３】
前記置き場（２４）が凹形をなすことを特徴とする請求項１または２に記載の家電装置。
【請求項４】
前記置き場（２４）は、前記アイロン（１）の前記ソール（１０）を受ける前方面（２４Ａ）と、前記アイロン（１）が休止位置を占めるときに前記ハンドル（１２）の前記支点部位（１２Ａ）が支持を受けるようにした後方面（２４Ｂ）とを備えること、および前記前方面（２４Ａ）と前記後方面（２４Ｂ）はそれぞれ異なる傾きをなし、前記ベース（２）の中央部レベルで交わることを特徴とする請求項１乃至３のいずれか一項に記載の家電装置。
【請求項５】
前記ベース（２）は前記ベース（２）の中央部レベルで前記置き場（２４）を横に縁取る外周壁（２４Ｃ）を備えることを特徴とする請求項４に記載の家電装置。
【請求項６】
前記ベース（２）は、前記ベース（２）に対する前記アイロン（１）の係止手段であって、前記ハンドル（１２）の前記後端部と協働するようにした固定ブロック要素（２７）と、前記ハンドル（１２）の反対側に位置する前記本体（１１）の一部に押しつけられるようにした可動ブロック要素（２８）であって、前記アイロン（１）を前記ベース（２）から取り出すことができる引込み位置と、前記アイロン（１）が前記置き場（２４）に係止される係止位置との間で回転可動なブロック要素（２８）とからなる係止手段を備えることを特徴とする請求項１乃至５のいずれか一項に記載の家電装置。
【請求項７】
前記固定ブロック要素は、前記ハンドル（１２）の前記後端部がその下に係合するようにした横材（２７）からなることを特徴とする請求項６に記載の家電装置。
【請求項８】
前記ソール（１０）は平坦な掛け面を備えること、および前記支点部位（１２Ａ）は前記ハンドル（１２）の前記後端部に配置された平坦な後部表面からなり、前記ハンドルの前記後部表面（１２Ａ）は前記ソール（１０）の前記掛け面の平面との間に鈍角αをなすことを特徴とする請求項１乃至６のいずれか一項に記載の家電装置。
【請求項９】
前記コード（３）は電気ケーブルおよび／または流体を運ぶための管を内蔵することを特徴とする請求項１乃至８のいずれか一項に記載の家電装置。
【請求項１０】
前記コード（３）は前記ハンドル（１２）の上面に設けられた開口部を通して前記アイロン（１）から引き出され、前記開口部は有利には前記ハンドル（１２）の前記後端部の近くに配置されることを特徴とする請求項９に記載の家電装置。
【請求項１１】
前記アイロン（１）は、前記ハンドル（１２）からの引出口で前記コード（３）に好ましい向きを与えるコード案内部品（４）を前記開口部のレベルに備えることを特徴とする請求項１０に記載の家電装置。
【請求項１２】
前記ソール（１０）は尖った前端と、より幅広で丸みを帯びた後端とを有することを特徴とする請求項１乃至１１のいずれか一項に記載の家電装置。
【発明の詳細な説明】
【技術分野】
【０００１】
本発明は、発熱ソールを含むアイロンと、コードによってアイロンとつながれたベースとを備えるアイロン掛け家電装置であって、ベースはアイロンを休止位置に置くための置き場を有しており、その位置でソールが置き場に載置される家電装置に関し、より詳細には、アイロンはソールに対して片持ちで配置された把持ハンドルを備え、その把持ハンドルが本体に取り付けられた前端部と自由後端部とを備える家電装置に関する。
【背景技術】
【０００２】
特許文献１により、発熱ソールを備えるアイロンと、コードによってアイロンとつながれたベースとを備えるアイロン掛け装置であって、アイロンはソールに対して片持ち式に配置された把持ハンドルを備える装置が知られている。この文献では、アイロンは、ハンドルの形状とはまり合う凹部を有するベースの置き場に片づけることができる。
【０００３】
このような構造は、置き場におけるアイロンの完璧な保持を果たすという利点を有する。これは、ハンドルが係合するようにした凹部が、コードの重さによってハンドルの後端部に下向きの引張力がかかったときにアイロンがソールの後縁の周りに転倒することなどを妨げるためである。
【０００４】
しかし、この装置では、アイロンが置き場に置かれているときにユーザがアイロンをつかむのが容易でない。これは、ユーザにはアイロンの膨らんだ上部しかアクセスすることができず、そのため、ユーザはアイロンをそのハンドルによってつかむことができずに、接続コードによってつかむしかないためである。
【０００５】
そのため、アイロン掛け作業を終えたときにアイロンを片づけるために使用されるこのような置き場は、その人間工学的な使い勝手が悪すぎるため、アイロン掛け作業の合間にアイロンを仮置きするためにユーザが利用できるようなものではない。
【０００６】
そのため、ユーザは、アイロンをアイロンテーブル上に置かざるを得なくなるが、その場合、コードの重みによって片持ちハンドルの後端部に引張力がかかると、アイロンを後方に転倒させることになりがちなその引張力の作用によってアイロンがアイロンテーブルから落下し、アイロンが損傷するという大きなリスクを負うことになる。
【先行技術文献】
【特許文献】
【０００７】
【特許文献１】仏国特許出願公開第２９２９２９８号明細書
【特許文献２】仏国特許出願公開第１４５２４６９号明細書
【発明の概要】
【発明が解決しようとする課題】
【０００８】
そのため、本発明の目的の１つは、片持ちハンドルを具備したアイロンをベースの置き場に安定的に置くことができて、そこからの取出しも容易な人間工学的に改善されたアイロン掛け装置を提案することによってそれらの不都合を是正することにある。
【課題を解決するための手段】
【０００９】
そのため、本発明は、発熱ソールを含むアイロンと、コードによってアイロンとつながれたベースとを備えるアイロン掛け家電装置であって、ベースはアイロンを休止位置に置くための置き場を有しており、その位置でアイロンのソールが置き場に載置され、アイロンはソールに対して片持ちで配置された把持ハンドルを備え、そのハンドルがソールの上に載る本体とつながる前端部と自由な後端部とを備える家電装置において、ハンドルは、休止位置にあるとき、ベースによって支持されるようにした支点部位を備えること、および、アイロンをそのハンドルで握持するために手のすべての指を通すことができるだけの空間が支点部位と本体の間のハンドルの裏側に生まれるような形状をベースが有することを特徴とする家電装置を対象とする。
【００１０】
このような特徴は、ハンドルがベースによる支えを得ることでアイロンが後方に転倒することを防止してアイロンを置き場で安定的に休止状態に置くことを可能にすると同時に、ハンドルの裏側の自由空間のおかげでユーザが手全体で握持できるハンドルによってアイロンを容易に握持することも可能にすることで、人間工学的に非常に優れた使い勝手を提供することができる。
【００１１】
本発明による装置のもう１つの特徴によれば、支点部位はハンドルの後端部に配置される。
【００１２】
このような特徴は、置き場におけるアイロンの安定性を最適化するとともに、アイロンを握持するためにハンドルの裏側に確保される自由空間を最大化することによる装置の人間工学的な使い勝手を改善することができる。
【００１３】
本発明の別の特徴によれば、置き場は凹形をなす。
【００１４】
このような置き場は、アイロンを置き場に案内して自動的に正しく位置決めするのに役立つくぼんだ形状を有するという利点を持つ。
【００１５】
本発明のさらに別の特徴によれば、置き場は、アイロンのソールを受ける前方面と、アイロンが休止位置を占めるときにハンドルの支点部位が支持を受けるようにした後方面とを備え、前方面と後方面はそれぞれ異なる傾きをなし、ベースの中央部レベルで交わる。
【００１６】
Ｖ字形に配置された面を有するこのような置き場は、ソールをわずかに傾けた状態でアイロンをベースに位置決めできるという利点があり、その傾きは、ユーザがアイロンを移動させるためにアイロンを持ち上げるときにユーザの手がアイロンに与える自然な傾きに相当するものである。
【００１７】
本発明の別の特徴によれば、前方面は、ベースをアイロンのソールから熱的に切り離すことができる突起支承部を備える。
【００１８】
このような技巧的特徴には、前方面に対するソールのよりソフトな接触をもたらすという利点もある。
【００１９】
本発明の別の特徴によれば、ベースはベースの中央部レベルで置き場を横に縁取る外周壁を備える。
【００２０】
このような特徴により、アイロンを休止位置に案内するのに役立つ外周壁を有する盆状の置き場を得ることができる。
【００２１】
本発明の別の特徴によれば、置き場の前方面は、水平面上に置くことが意図されたベースの下面に対して４５°から１０°の間、好ましくは約２８°の傾きを有し、後方面は下面に対して０°から１５°の間、好ましくは約６°の傾きを有する。
【００２２】
本発明のさらに別の特徴によれば、ベースは、ベースに対するアイロンの係止手段であって、ハンドルの後端部と協働するようにした固定ブロック要素と、ハンドルの反対側に位置する本体の一部に押しつけられるようにした可動ブロック要素であって、アイロンをベースから取り出すことができる引込み位置と、アイロンが置き場に係止される係止位置との間で回転可動なブロック要素とからなる係止手段を備える。
【００２３】
このようなブロック手段は、アイロンのハンドルをつかんで装置全体を運搬できるようにするための置き場へのアイロンの係止を可能にする。
【００２４】
本発明の別の特徴によれば、固定ブロック要素は、ハンドルの後端部がその下に係合するようにした横材からなる。
【００２５】
このような技巧的解決法は、アイロンを置き場に納める際にも、そこから取り出す際にも人間工学的な使い勝手のよさを提供しつつ、単純にして経済的であるという利点を有する。
【００２６】
本発明の別の特徴によれば、ソールは平坦な掛け面を備え、支点部位はハンドルの後端部に配置された平坦な後部表面からなり、ハンドルのその後部表面はソールの掛け面の平面との間に鈍角αをなす。
【００２７】
本発明の別の特徴によれば、角度αは１３０°から１６０°の間で、好ましくは約１４５°である。
【００２８】
本発明の別の特徴によれば、平坦な後部表面の傾きは、アイロンが休止位置を占めているときに後部表面が後方面に平らに載置されるように適合される。
【００２９】
このような特徴は、休止位置におけるアイロンの安定性を最適化させるという利点を持つ。
【００３０】
本発明の別の特徴によれば、コードは電気ケーブルおよび／または流体を運ぶための管を内蔵する。
【００３１】
本発明の別の特徴によれば、ベースは水タンクとポンプとを備え、タンクはアイロンに配設された蒸発室に水を供給する。
【００３２】
本発明の別の特徴によれば、ベースはベースの周囲に延びるノド部を有しており、コードを片づける際にそこに巻き付けることができるようになっている。
【００３３】
本発明の別の特徴によれば、コードはハンドルの上面に設けられた開口部を通してアイロンから引き出され、その開口部は有利にはハンドルの後端部の近くに配置される。
【００３４】
このような特徴により、ハンドルからの引出口でコードが上方に延びるようにすることができ、それによって、アイロンをアイロン台に直接置いたときにハンドルの後端部がアイロン台に載置されるのをコードが妨げることがないようにする。
【００３５】
本発明の別の実施形態によれば、アイロンは、ハンドルからの引出口でコードに好ましい向きを与えるコード案内部品を開口部レベルに備える。
【００３６】
本発明の別の特徴によれば、コード案内部品は、コードが開口部の縁でハンドルの上面に対する法線に対して１５°から７５°の間、好ましくは約４５°の角度を形成するようにコードをハンドルの後端部の方に傾いた状態で保持する。
【００３７】
本発明の別の特徴によれば、ソールは尖った前端と、より幅広で丸みを帯びた後端とを有する。
【００３８】
本発明の別の特徴によれば、ソールは１５ｃｍ未満の長さと１０ｃｍ未満の幅を有する。
【００３９】
このような特徴は、アイロン仕事の際にソールの小さめの寸法によってアイロンを非常に取り回しのよいものとすることができる。
【００４０】
本発明の別の特徴によれば、ソールの平面に対してハンドルの正射影をとったとき、ハンドルの長手方向にハンドルの少なくとも４分の３はソールよりも外に張り出す。
【００４１】
本発明の装置の別の特徴によれば、アイロンは、アイロンのソールが水平面上で平らにされたとき、コードの重みによる引張力の作用を受けてソールの後縁の周りに自動的に傾動する。
【００４２】
本発明の別の特徴によれば、ソールは発熱抵抗体を備える。
【図面の簡単な説明】
【００４３】
本発明の目的、態様および利点については、添付の図面を参照しながら、非限定的な例として示す本発明の具体的実施形態に関する以下の説明によってよりよく理解されよう。
【図１】本発明の具体的実施形態によるアイロン掛け装置の斜視図であって、ブロックアーチがそれぞれアイロン係止位置と引込み位置にあるときの斜視図である。
【図２】本発明の具体的実施形態によるアイロン掛け装置の斜視図であって、ブロックアーチがそれぞれアイロン係止位置と引込み位置にあるときの斜視図である。
【図３】アイロンがベースから持ち上げられた状態の図１の装置の斜視図である。
【図４】アイロンを単独で示した斜視図である。
【図５】図４のアイロンの側面図である。
【図６】図１の装置の側面図である。
【発明を実施するための形態】
【００４４】
本発明の理解に必要な要素のみを図示してある。図面を読み取りやすくするため、同じ要素には図面間で同じ符号を与えてある。
【００４５】
図１から図３および図６は、従来のように、アイロン１と、アイロン１にコード３でつながれた可搬型ベース２であって、取り外し可能なタンク２０を備えるとともに、図６に模式的に破線で示したポンプ２１であって、タンク２０内の水を汲み出してコード３に仕込まれたチューブを通してアイロン１に送り出すポンプ２１を内蔵するベース２を備えるアイロン掛け装置を表している。
【００４６】
これらの図に示すとおり、ベース２は、アイロン台のような水平な表面に平らに置くことが意図された下面２２を備え、その下面２２の縁に当たる部分にはベース２の周囲にコード３を巻き付けて片づけることができる外周ノド部２３を有している。
【００４７】
ベース２は、ベース２を家庭用電源に接続することができる電気ケーブル（図示せず）をさらに備え、ベース２はベース２の２つの横の面に開口するキャビティ２６を備え、ケーブルはそこに差し込んで片づけることができる。
【００４８】
図４に示すとおり、アイロン１は、本体１１を載せた平坦なソール１０を備え、さらに本体１１に取り付けられた前端部と本体１１から横に突き出た自由後端部とを有する把持ハンドル１２を備える。ハンドル１２はソール１０に対して片持ちとなるように設けられて約１２ｃｍの長さを有し、本体１１およびハンドル１２は注型によって得られるプラスチック材料の一体部品として製作されることが好ましい。
【００４９】
本体１１には自明な形で鋳造品（図示せず）が内蔵されており、その鋳造品は、ソール１０と熱的に接触する一方、ソール１０の温度を約１３５°Ｃの指令温度に維持することのできる調節不能なサーモスタットによって調整される発熱抵抗体を備える。
【００５０】
鋳造品は有利にはアルミニウム製であり、タンク２０を出た水がポンプ２１によってその中に噴射される瞬間蒸発室を備え、ポンプ２１の動作はハンドル１２の前端部の裏側に配設された引き金１３によって操作される。ポンプ２１および蒸発室は、有利には、引き金１３を引いたときに連続的に毎分約２５ｇの蒸気流量を発生させることができるように設計される。
【００５１】
蒸発室で発生した蒸気は、ソール１０の平坦な掛け面に設けられてＶ字形に配置された２つの溝に開口する蒸気出口穴１４から放出される。ソール１０は有利にはステンレス鋼製で、ハンドル１２とは反対側に配置された尖った前端１０Ａと、より幅広で丸みを帯びた後端１０Ｂとを備える。
【００５２】
有利には、アイロン１はきわめて取り回しのよいものとなるように、ソール１０は１５ｃｍ未満、好ましくは約１４ｃｍの長さと、１０ｃｍ未満、好ましくは約８ｃｍの幅とを有する。
【００５３】
図３および図６のとおり、ベース２の最上部には、アイロン掛け中断時やアイロン１を仕舞うときにアイロン１を休止位置でその上に置くことができる凹形の置き場２４がある。
【００５４】
この置き場２４は、ベース２のほぼ中央で交わるそれぞれ異なる傾きの前方面２４Ａと後方面２４Ｂとを備えるＶ字形の底を有しており、前方面２４Ａにはアイロン１のソール１０を受けることが意図され、後方面２４Ｂにはアイロン１が休止位置を占めるときにハンドル１２の後端部を受けることが意図されている。
【００５５】
好ましくは、前方面２４Ａは断熱性の材料で製作された突起支承部２５を備え、アイロン１のソール１０は、休止位置を占めるときにはその上に載るようにする。一方、ハンドル１２の後端部は斜めに切り取られた形状をなし、ソール１０が前方面２４Ａに載せられたときに後方面２４Ｂに対して平らに載るように適合された傾きを持つ後部表面１２Ａを備える。
【００５６】
一例を挙げれば、前方面２４Ａと後方面２４Ｂはベース２の下面２２に対してそれぞれ約２８°と約６°傾いており、ハンドル１２の後部表面１２Ａはソール１０の平面との間に、図５に示した約１４５°の鈍角αをなすＶ字を形成する。
【００５７】
置き場２４は、後方面２４Ｂの後端の縁に、また後方面２４Ｂおよび前方面２４Ａの側辺沿いにも、高さ方向に延びる外周壁２４Ｃをさらに備える。この外周壁２４Ｃは置き場２４上でアイロン１のソール１０を横に案内し、アイロン１が置き場２４上で休止位置に置かれたときにハンドル１２の後端部が衝止される障害物をなす。
【００５８】
好ましくは、外周壁２４Ｃは、ベース２の後端レベルに後方面２４Ｂの上に延びるブロック横材２７を備えており、アイロン１が置き場２４上で休止位置に置かれるとハンドル１２の後端部がそのブロック横材２７の下に係合する。
【００５９】
図１および図２のとおり、ベース２の前端は有利には、前方面２４Ａの縁に枢動可能に取り付けられて置き場２４の前端付近に配置されたブロックアーチ２８を備え、アーチ２８は有利には三角形をなす。
【００６０】
アーチ２８は、図２および図３に示すように、アーチ２８が置き場２４の縁で前方面２４Ａと平行に配置される引込み位置と、図１および図６に示すように、アーチ２８がソール１０の先端部の上でアイロン１の本体１１を押えつけるアイロン１の係止位置との間で枢動することができる。
【００６１】
ベース２は、自明なように、引込み位置と係止位置の間の中間位置を通過するときに向きが反転する復帰トルクをアーチ２８に対して与える復帰手段（図示せず）を内蔵しており、復帰トルクは、アーチ２８が引込み位置の近くにあるときはアーチ２８を引込み位置に戻し、アーチ２８が係止位置の近くにあるときはアーチ２８を係止位置に戻す。このような復帰手段は、出願人によって出願された特許文献２にさらに詳しく示されている。
【００６２】
図５のとおり、コード３はハンドル１２の上面に設けられた開口部１５を通してアイロン１から出ており、開口部１５は好ましくはハンドル１２の後端部からわずかに手前に、たとえば１〜２ｃｍ程度の距離に配置される。
【００６３】
開口部１５には、有利には、コード３を包み込み、予め定められた方向に沿ってコード３を保持するコード案内部品４が取り付けられる。
【００６４】
ここに図示した具体的実施形態では、コード案内部品は、アイロン１がソール１０の掛け面を下にしてアイロン１を平らに置いたときに水平に対して約４５°の傾きでコード３をハンドル１２の後方に傾けて保持するエラストマー製の補強シース４からなる。
【００６５】
こうして製作されたアイロン掛け装置は、非常に優れた人間工学的な使い勝手をもたらすという利点を有する。
【００６６】
実際、ユーザは、ハンドル１２の斜めに切り取られた後端部を後方面２４Ｂに対置するように持って行き、次いでアイロン１をベース２の後方に摺動させることにより、ハンドル１２の後端部がブロック横材２７の下に係合し、外周壁２４Ｃで衝止されるようにして、アイロン１を容易にベース２の置き場２４で休止位置に定置することができる。ユーザはそこでアイロン１を放すか、または手の動きを添えることで、アイロン１が自重で前方に枢動するように、そしてソール１０が前方面２４Ａの支承部の上に載るようにすることができるが、その際、外周壁２４Ｃのうち、ベース２の側辺に延びる部分は前方面２４Ａ上でソール１０を横に案内するのに役立つ。
【００６７】
図１および図２に示すように、アイロン１がベース２上で休止位置にあるとき、アイロン１はベース２上に安定的に定置されており、ハンドル１２の後端部レベルに支点が確保されるため、後方に転倒するおそれはない。さらに、その際、ユーザがすべての指を差し込んで手全体でハンドル１２を容易につかむことができる空間がハンドル１２の裏側に生まれる。
【００６８】
そのため、ユーザはハンドル１２によってアイロン１を容易につかみ取ることができ、アイロン掛けの中断期間にアイロン１を毎回置くためにベース２の置き場２４を使用することができる。こうした中断期間は、アイロン掛け作業の際にユーザがアイロンを掛ける衣類の位置を変えたり、アイロン掛けする衣類を取り替えたりするたびに起こるものである。
【００６９】
このような装置は、ユーザがベース２以外に、たとえばアイロン台の上に直接、アイロン１を置こうとした場合にも、安定性が向上して、落下の危険の少ないアイロン１が得られるという利点もある。
【００７０】
実際、ハンドル１２の上面からコード３を引き出すことで空けられたハンドル１２の後端部は、コード３の重みによってかかる引張力の作用でアイロン１がソール１０の後縁の周りに傾動したときには、図５に示すようにアイロン台の水平面Ｈに直接載ることができる。また、ハンドル１２の後部表面１２Ａの傾きはハンドル１２が水平面Ｈにほぼ平らに載ることを可能にするものであり、それにより、アイロン台上での安定した支持を得ることでこの位置でのアイロン１の安定性は向上する。
【００７１】
最後に、こうして製作された装置は、アイロン１をベース２に固定して仕舞うことや、装置全体をアイロン１のハンドル１２で運ぶことができるという利点がある。
【００７２】
実際、アイロン１は、ブロックアーチ２８を図２に示すような引込み位置から図１に示すような係止位置まで傾動させてアーチ２８をアイロン１の本体１１に押しつけるようにすることによって、ベース２上で容易に休止位置に係止することができる。この係止位置では、アーチ２８の復帰手段がアイロン１をベース２の後方に押しやるように力を及ぼすことでブロック横材２７の下へのハンドル１２の係合によってアイロン１の後端が係止される一方で、アイロン１の前端がアーチ２８によって係止される。
【００７３】
本発明が、もっぱら例としてのみ掲げて説明し、図示した実施形態だけにいささかも限定されるものでないことは言うまでもない。様々な要素の構成という観点からの変更や、等価の技術による置換えによる変更などは、それによって本発明の保護対象領域から外れることなくなお可能である。
【００７４】
そのため、ここに示されていない変形実施形態では、ベースは、加圧蒸気を発生させるための容器を備え、コードにはアイロンに蒸気を運ぶための管が含まれるものであってよいだろう。
【図１】
2018514343.tif 000003
【図２】
2018514343.tif 000004
【図３】
2018514343.tif 000005
【図４】
2018514343.tif 000006
【図５】
2018514343.tif 000007
【図６】
2018514343.tif 000008
【国際調査報告】
2018514343.tif 000009
2018514343.tif 000010
2018514343.tif 000011
2018514343.tif 000012